(57)【要約】      （修正有）【課題】これまでデザインやファッション性が備わっていなかったイヤホンに、使用時にも未使用時にもデザインとファッション性を持たせたイヤホンを提供する。【解決手段】２本のイヤホンコード３，３に接続された２つのイヤホンユニット４，５のケース６，１３一側面に磁石９，１６を備え、両者を磁力で接合することにより連続した背面に文字若しくは図形が形成されてなることを特徴とし、これによりイヤホンの未使用時には連続したデザインが形成され、使用時にも背面に文字や図形の一部が表示されファッション性を加味する。【選択図】図４
0003199231.tif 000002
【実用新案登録請求の範囲】
【請求項１】
音楽再生機器に接続可能なコネクタと、
前記コネクタに一端が接続されている２本のイヤホンコードと、
前記２本のコードの他端にそれぞれ接続された２つのイヤホンユニットとにより構成されてなるイヤホンであって、
前記２つのイヤホンユニットは、
それぞれケースと、
ケースの表面に突設されてなる耳差込部とを備え、
一方のケースの一側面と他方のケースの他側面とが互いに隙間なく突き合わすことができる形状に形成され、
前記ケース内部にはそれぞれ磁石が内蔵され、
一方のケースの一側面と他方のケースの他側面を突き合わせたとき、前記磁石によって前記二つのイヤホンユニットが接合され、
一方のケースと他方のケースとが接合された状態で、一方のケースの背面と他方のケースの背面とが一体に連続され、前記一体に連続された背面に文字若しくは図形からなる一連の表示が施されてなる
ことを特徴とするイヤホン。
【請求項２】
前記一方のケース及び他方のケースは、
背面から視た形状が矩形に形成されてなり、
両ケースが接合した形状も横長矩形であって、
両ケースの背面に亘って一連の文字からなる表示が施されてなる
ことを特徴とする請求項１に記載のイヤホン。
【請求項３】
前記一方のケースに内蔵された磁石にかえて強磁性を備えた金属が内蔵されてなる
ことを特徴とする請求項１若しくは請求項２に記載のイヤホン。
【考案の詳細な説明】
【技術分野】
【０００１】
本考案は音楽再生機器などに接続して使用するイヤホンに関する。
【背景技術】
【０００２】
一般に音楽再生機器などに使用されるイヤホンは、音楽再生機器に接続するコネクタと、前記コネクタに一端が接続されている２本のイヤホンコードと、前記２本のイヤホンコードのそれぞれの他端に接続されているイヤホンユニットからなり、前記イヤホンユニットはイヤホンケースと、耳に差し込み使用する耳差込部からなる。
【０００３】
従来のイヤホンには、前記イヤホンケースの側面に設けたフックを用い一対のイヤホンケースを係合することによりコードがもつれないようにしたものがある。
【先行技術文献】
【特許文献】
【０００４】
【特許文献１】特開平９−８４１６９
【考案の概要】
【考案が解決しようとする課題】
【０００５】
しかし、前記した従来のイヤホンでは、前記イヤホンユニットの形状が互いに類似しており、販売時において購買客に対する店頭に陳列された他のイヤホンとの差別化が難しいという問題があった。
【課題を解決するための手段】
【０００６】
本考案は、前記問題点に鑑み、音楽再生機器に接続可能なコネクタと、前記コネクタに一端が接続されている２本のイヤホンコードと、前記２本のコードの他端にそれぞれ接続された二つのイヤホンユニットとにより構成されてなるイヤホンであって、前記二つのイヤホンユニットはそれぞれ、ケースと、ケースの表面に突設されてなる耳差込部とを備え、一方のケースの一側面と、他方のケースの他側面とが、互いに隙間なく突き合わすことができる形状に形成されて、前記二つのケース内部にはそれぞれ磁石が内蔵され、一方のケースの一側面と他方のケースの他側面を突き合わせたとき、前記磁石によって前記二つのイヤホンユニットが接合され、一方のケースと他方のケースとが接合された状態で、一方のケースの背面と他方のケースの背面とが一体に連続され、前記一体に連続された背面に文字若しくは図形からなる一連の表示が施されてなることを特徴とする。
【０００７】
前記一方のケース及び他方のケースは、背面から視た形状が矩形に形成されてなり、両ケースが接合した形状も横長矩形であって、両ケースの背面に亘って一連の文字からなる表示が施されてなることとしても好ましい。両ケースが接合した形状が横長矩形からなる形状の方が、立体的に文字が浮かび上がり美観性に優れるからである。
【０００８】
前記二つのケース内部の一方には、磁石にかえて、強磁性を備えた金属が内蔵されてなるイヤホンユニットであってもよい。強磁性を備えた金属としては、鉄、ニッケル、コバルトであることが好ましい。
【０００９】
前記イヤホンユニットの接合面は、平面であってもよく、また、曲面であってもよい。
【考案の効果】
【００１０】
前記のように構成されたイヤホンによれば、販売時に、前記イヤホンケースの背面に形成された文字や図形によって、顧客の関心を引くことができ、他のイヤホンとの差別化が可能となった。
【００１１】
さらに、前記イヤホンケースの背面に形成された文字や図形により美観が向上し、美観性に訴求したイヤホンが形成できた。
【００１２】
そして、これまでは屋外など一人で音楽を聴くための機能を有するだけだったイヤホンに、前記イヤホンケースの接合により生まれる文字や図形のデザインが形成できた。
これにより、顧客は、前記のように構成されたイヤホンの使用時においても、これまでになかったイヤホンケースの背面の形状の違いによる個性の表現が図れる。そのため、これまでイヤホンの使用時のデザインに関心のなかった顧客に、関心を与えることができ、新たなイヤホンの購入の機会と選択肢を提供できる。
【図面の簡単な説明】
【００１３】
【図１】本考案に係るイヤホン全体を示す図
【図２】本考案に係るイヤホンケースの斜視図
【図３】本考案に係るイヤホンの使用時を示す図
【図４】本考案に係るイヤホンケースの接合を示す図
【考案を実施するための形態】
【００１４】
以下、図面を参照しながら本考案の実施形態について詳しく説明する。
【００１５】
本考案に係るイヤホン１は、図１に示すように音楽再生機器に接続するコネクタ２と、前記コネクタ２に一端が接続され、途中で２本に別れたコード３，３を備え、コード３，３の他端には２つのイヤホンユニット４，５がそれぞれ接続されてなる。本実施の形態において、前記２つのイヤホンユニット４，５の一方を右イヤホンユニット４、他方のイヤホンユニットを左イヤホンユニット５ともいう。
【００１６】
図１及び２に示すように、右イヤホンユニット４は、略六面体状に形成されてなるケース６と、ケース６の表面７に突設されてなる耳差込部８を有すると共にケース６の内部には磁石９が内蔵されてなる。ケース６の一側面１０は平坦面に形成されてなり、磁石９はＮ極若しくはＳ極のいずれかを一側面１０に向けた状態で配置されてなる。さらに、ケース６の背面１１は、外方に凸状となる立体形状によって形成された文字片１２が形成されてなる。文字片１２の一側端の端面は一側面１０と同一面となるように形成されてなる。
【００１７】
一方、左イヤホンユニット５は、右イヤホンユニット４と同じく、略六面体状に形成されてなるケース１３と、ケース１３の表面１４に突設されてなる耳差込部１５を有すると共にケース１３の内部には磁石１６が内蔵されてなる。ケース１３の他側面１７は、ケース６の一側面１０と隙間なく突き合わせることができる平坦面に形成されてなり、磁石１６は、磁石９とは異なる極を他側面１７に向けた状態で配置されてなる。さらに、ケース１３の背面１８は外方に凸状となる立体形状によって形成された文字片１９が形成されてなる。文字片１９の一側端の端面は他側面１７と同一面となるように形成されてなる。
【００１８】
右イヤホンユニット４と左イヤホンユニット５とは、一側面１０と他側面１７とを突き合せた際に磁石９、１６とが引き合い、互いに固定した状態を保持することができる。
【００１９】
２つのイヤホンユニット４，５が備える耳差込部８，１５は、図２に示すようにそれぞれ耳に差込み使用する。
【００２０】
図４に示すように、前記２つのイヤホンユニット４，５の一側面１０と他側面１７とを突き合せて接合させると、両者が隙間なく接合され、一方のケース６の背面１１と他方のケース１３の背面１８とが一体に連続する。背面１１と背面１８とが一体に連続されることによって、それぞれの背面に形成された文字片１２の一端側と文字片１９の他端側とが連続し、図４の二点鎖線内に示されるように「ＦＲＩＥＮＤ」の立体文字２０が完成する。
【００２１】
前記ケース６、１３の形状は図２に示すように背面から視た形状が矩形に形成されてなる。そして図４に示すようにケース６、１３が接合した形状も横長矩形であって、ケース６、１３の背面に亘って立体文字２０からなる表示が施されてなる。
【００２２】
立体文字２０が形成された状態で商品として店頭に陳列することによって、ケース６，１３が接合された状態のイヤホン１の背面に、一連の文字若しくは図形からなる立体文字２０が購買客からもよく見え、イヤホンの美観性が向上し、他のイヤホンとの差別化が図れる。
【００２３】
さらに図３に示すように、イヤホン１の使用時にもケース６、１３の背面１１、１８に文字片１２，１９が模様として表示され、これまでのイヤホンの使用時よりも、より美観性の向上した使用が実現される。
【００２４】
これまでのイヤホンは、イヤホンとしての機能にのみ着目した形状が多く、イヤホン自体に新たなる付加価値を提供するものはなかった。本考案は、イヤホン１に、未使用時には前記イヤホンユニット４，５の接合により文字や図形を形成し購買客に購買意欲を持たせるデザインを持たせ、使用時にはイヤホンユニット４，５の背面１１，１８の形状により美観性を持たせるという付加価値を提供することができる。
【符号の説明】
【００２５】
１  イヤホン
２  コネクタ
３  コード
４  右イヤホンユニット
５  左イヤホンユニット
６  ケース
７  表面
８  耳差込部
９  磁石
１０  一側面
１１  背面
１２  文字片
１３  ケース
１４  表面
１５  耳差込部
１６  磁石
１７  他側面
１８  背面
１９  文字片
２０  立体文字
【図１】
0003199231.tif 000003
【図２】
0003199231.tif 000004
【図３】
0003199231.tif 000005
【図４】
0003199231.tif 000006